(57)【要約】【課題】簡単に短時間で家屋平面図に出窓を作図することができる家屋評価用の図面作成装置を提供すること。【解決手段】家屋図面作成装置は、家屋の出窓の形状情報と位置情報を含む出窓情報の入力処理を行うための出窓情報入力処理部と、該出窓情報に基づいて家屋の平面図上に出窓を作図するための出窓作図処理部と、上記出窓が作図された家屋の平面図を修正するための図面修正処理部と、を含む。【選択図】  図４
2004213195.tif 000002
【特許請求の範囲】
【請求項１】
家屋の出窓の形状情報と位置情報を含む出窓情報の入力処理を行うための出窓情報入力処理部と、該出窓情報に基づいて家屋の平面図上に出窓を作図するための出窓作図処理部と、上記出窓が作図された家屋の平面図を修正するための図面修正処理部と、を含む家屋図面作成装置。
【請求項２】
上記出窓情報は出窓に設けられる建具の情報を含み、上記出窓作図処理部は上記出窓の作図と建具の作図を行うことを特徴とする請求項１記載の家屋図面作成装置。
【請求項３】
上記出窓情報入力処理部は、上記出窓情報を格納した出窓パターンファイルを作成し、表示装置に該出窓パターンファイルのリストを表示することを特徴とする請求項１記載の家屋図面作成装置。
【請求項４】
上記出窓作成処理部及び出窓修正処理部は、上記出窓を表示装置にて座標表示することを特徴とする請求項１記載の家屋図面作成装置。
【請求項５】
家屋の出窓の形状情報と位置情報を含む出窓情報を取得するための出窓情報取得工程と、該出窓情報に基づいて家屋の平面図上に出窓を作図するための作図工程と、上記出窓が作図された家屋の平面図を修正するための修正工程と、を含む家屋図面作成方法。
【請求項６】
上記出窓情報は出窓に設けられる建具に関する情報を含み、上記作図工程は出窓の外壁及び建具を作成することを特徴とする請求項５記載の家屋図面作成方法。
【請求項７】
上記出窓の位置情報は、出窓の位置と出窓の向きを含み、該出窓の位置と出窓の向きは、オペレータからの入力によって得られることを特徴とする請求項５記載の家屋図面作成方法。
【請求項８】
上記作図工程及び修正工程において、上記出窓は表示装置にて座標表示されることを特徴とする請求項５記載の家屋図面作成方法。
【請求項９】
上記作図工程は、上記出窓の位置情報に基づいて、出窓を構成する外壁の各座標を計算し、上記出窓の形状情報に基づいて出窓を作図することを特徴とする請求項５記載の家屋図面作成方法。
【請求項１０】
上記修正工程は、上記出窓の両端を検出することと、該両端の間に存在する図形を検出することと、該検出した図形が削除すべき線図である否かを判定することと、上記検出した図形が削除すべき線図である場合に削除することを含むことを特徴とする請求項５記載の家屋図面作成方法。
【請求項１１】
上記家屋の出窓情報を格納した出窓パターンファイルを生成するためのファイル生成工程と、該出窓パターンファイルのリストを表示装置に表示するための表示工程と、を有し、オペレータによって上記出窓パターンファイルのリストより所望の出窓パターンファイルが選択されることができることを特徴とする請求項５記載の家屋図面作成方法。
【発明の詳細な説明】
【０００１】
【発明の属する技術分野】
本発明は、コンピュータを使用して家屋の平面図を作成するための装置及び方法に関し、特に、家屋の出窓及びそこに取り付けられる建具の平面断面図を作成するための装置及び方法に関する。
【０００２】
【従来の技術】
固定資産税（市町村）、不動産取得税（都道府県）等の計算の際に、家屋の平面断面図（以下に、単に「平面図」という。）を使用して家屋の評価計算がなされる。従来、コンピュータを使用して家屋の評価計算を行うための家屋の平面図を作成する装置が知られている。
【０００３】
近年、家屋の居間や食堂には数多くの出窓が設けられるようになった。出窓の形状は様々であるが、外壁と建具によって構成されている。建具は窓ガラス、サッシ等を含む窓の部分である。一般に、出窓がある家屋の場合には、出窓がない家屋に比べて、作図作業が複雑となり、作図時間が長くなる。
【０００４】
図８Ａを参照して、従来の技術による６面出窓の外壁の作図方法を説明する。
出窓を作図する部屋の外壁８００上に、出窓の両端となる位置Ｐａ、Ｐｂが与えられ、更に、出窓の奥行ｔが与えられている。出窓の幅ｄとする。外壁８００に平行に且つ外壁８００より出窓の奥行ｔに相当する位置に補助線８０１を引く。
出窓の一方の端点Ｐａを通り外壁８００に垂直な補助線８０２を引く。出窓の両端点Ｐａ、Ｐｂの中点を通り外壁８００に垂直な補助線８０３を引く。補助線８０１と補助線８０３の交点をＰｍとする。出窓の両端点Ｐａ、Ｐｂと交点Ｐｍの３点を通る円の補助線８０４を引き、その中心をＯとする。
【０００５】
出窓の両端点Ｐａ、Ｐｂの間の弧の中心角をθとする。中心角θを出窓の面数６によって等分するように、弧ＰａＰｍ上に点Ｐｃ、Ｐｄを設け、弧ＰｍＰｂ上に点Ｐｅ、Ｐｆを設ける。ＰａとＰｃを繋いだ線８０５、ＰｃとＰｄを繋いだ線８０６、ＰｄとＰｍを繋いだ線８０７、ＰｍとＰｅを繋いだ線８０８、ＰｅとＰｆを繋いだ線８０９、ＰｆとＰｂを繋いだ線８１０が６面出窓の外壁となる。
【０００６】
図８Ｂ及び図８Ｃを参照して従来の技術による６面出窓の建具の作図方法を説明する。図８Ｂは、図８Ａにて説明した６面出窓の外壁の６面８０５、８０６、８０７、８０８、８０９、８１０を示す。ここでは、面８０５に建具８１１を作図する。建具８１１は両端点ｙ、ｚと中心点ｘを有する。建具８１１の幅ｙｚは、面８０５の幅ＰａＰｃより小さい。
【０００７】
面８０５の両端点Ｐａ、Ｐｃの中点Ｐ１を求める。この中点Ｐ１から建具８１１の幅ｙｚの半分ｙｚ／２の長さの線分を、両端点Ｐａ、Ｐｃの方向にそれぞれ引く。この直線ｙｘｚが建具８１１となる。
【０００８】
図９を参照して従来の技術による台形出窓の外壁の作図方法を説明する。部屋の外壁８００上に、出窓の両端の位置Ｐａ、Ｐｂが与えられ、更に、出窓の奥行ｔとギャップｇが与えられている。外壁８００に平行に且つ外壁８００より出窓の奥行ｔに相当する位置に補助線８０１を引く。次に、出窓の両端Ｐａ、Ｐｂを通り外壁８００に垂直な補助線８０２、８２１を引き、この補助線に平行に且つギャップｇに相当する間隔にて更に補助線８２２、８２３を引く。補助線８０１と補助線８２２の交点をＰｊとし、補助線８０１と補助線８２３の交点をＰｋとする。ＰａとＰｊを繋いだ線８２４、ＰｊとＰｋを繋いだ線８２５、ＰｋとＰｂを繋いだ線８２６が台形出窓の外壁となる。台形出窓の建具の作図方法は、６面出窓の建具の作図方法と同様である。
【０００９】
【発明が解決しようとする課題】
上述の作図方法では、出窓の外壁の作図及び建具の位置決めのために補助線を利用する。補助線を使用しないと出窓の頂点の位置及び建具の位置が不正確になり、完成した図面が不正確になる。補助線を作成する操作は手間がかかり、作図時間が長くなる。
【００１０】
近年、出窓のデザインが多様化し、台形型ばかりでなく、多面型も採用されている。出窓の形状が複雑になると補助線が多くなる。図面作成者は、補助線の種類、位置及び方向を考えなければならず、入力操作が難しくなる。
【００１１】
また、上述の作図方法では、出窓の外壁と建具を別個に作図する。従って、入力項目や操作の切り替えが多くなり、入力操作を誤り易く効率が上がらない。
本発明の目的は、出窓の外壁及び建具の作図のための入力操作を最小限にし、効率的な家屋図形データ入力が可能な装置及び方法を提供することにある。
【００１２】
【課題を解決するための手段】
本発明によると、家屋図面作成装置は、家屋の出窓の形状情報と位置情報を含む出窓情報の入力処理を行うための出窓情報入力処理部と、該出窓情報に基づいて家屋の平面図上に出窓を作図するための出窓作図処理部と、上記出窓が作図された家屋の平面図を修正するための図面修正処理部と、を含む。
【００１３】
本発明によると、家屋図面作成方法は、家屋の出窓の形状情報と位置情報を含む出窓情報を取得するための出窓情報取得工程と、該出窓情報に基づいて家屋の平面図上に出窓を作図するための作図工程と、上記出窓が作図された家屋の平面図を修正するための修正工程と、を含む。
【００１４】
従って、本発明によると、短時間で且つ簡単な操作にて家屋平面図に出窓を作図することができる。更に、本発明によると、補助線及び補助図形を作成することなく、家屋平面図に出窓を作図することができる。更に、本発明によると、家屋平面図の作成と同時に出窓の外壁及び建具の作図を行うことができる。
【００１５】
【発明の実施の形態】
以下、本発明の実施の形態を図面を参照して具体的に説明する。図１は、本発明による家屋図面作成装置を含む家屋評価計算処理装置の実施形態を示すブロック図である。
【００１６】
家屋評価計算処理装置は、文字、記号、図形等を表示するためのディスプレイ装置２と文字、記号、図形等の入力を行うためのキーボード装置３とディスプレイ装置２の画面に表示された座標にて位置を指示するためのポインティング装置４と後述の各種のプログラムを実行するための中央処理装置１０と後述の各種のファイルを記憶するための記憶装置３０とを有する。
【００１７】
中央処理装置１０は、図示のように、平面図作成処理プログラム１１と評点付加処理プログラム１２と図面解析処理プログラム１３と評点数計算処理プログラム１４とを有し、これらのプログラムを作動する。記憶装置３０は、家屋の出窓情報を格納するための出窓パターンファイル３５と家屋図形データ３６Ａと評点データ３６Ｂを格納するための図面ファイル３６と家屋標準評点数を格納するための標準評点マスタファイル３７と部分別の評点数計算結果を格納するための評点数計算ファイル３８とを含む。
【００１８】
出窓パターンファイル３５は出窓パターン毎に１つのファイルが設けられてよい。出窓情報は、後に詳細に説明するが、出窓に関する形状情報と配置指示情報を含む。家屋図形データ３６Ａは家屋の平面図に関するデータを含み、評点データ３６Ｂは部分別の評点データや数量などの属性を含む。
【００１９】
本発明による家屋平面図作成装置は、図１の家屋評価計算処理装置の構成のうち、ディスプレイ装置２とキーボード装置３とポインティング装置４と中央処理装置１０の平面図作成処理プログラム１１と記憶装置３０に記憶された出窓パターンファイル３５と図面ファイル３６に記憶された家屋図形データ３６Ａとからなる。従って、以下に、図面解析処理プログラム１３、評点数計算処理プログラム１４、評点データ３６Ｂ、標準評点マスタファイル３７及び評点数計算ファイル３８の説明は省略する。
【００２０】
図２は、出窓パターンファイル３５の概要構造を示す図である。出窓パターンファイル３５は出窓情報を含み、出窓情報は形状情報３００と配置指示情報３１０を含む。
【００２１】
形状情報３００は、台形型、長方形型、ｎ面型などの出窓の形状を指定する出窓タイプ３０１、出窓の外壁の面数３０２、出窓の奥行３０３、通常の建具の幅を示す標準建具幅３０４、台形出窓や長方形型出窓の正面建具の幅を示す正面建具幅３０５、建具の高さ３０６、台形出窓のギャップ３０７、出窓の両端座標間の距離を示す出窓幅３０８を含む。建具の高さ３０６は、家屋平面図を作成するために必要ないが、建具面積を計算するために必要な属性である。
【００２２】
配置指示情報３１０は、出窓の位置を指定する位置指定３１１と出窓の向きを指定する向き指定３１２を含む。位置指定３１１には、座標指定と文字指定がある。
【００２３】
座標指定は、例えば、食堂の灯り採り用の出窓のように、食堂のどこに出窓を作るかのパターン化が難しく、ポインティング装置４での座標の指定が必要な場合に用いる。形状情報にて出窓の幅が決まっている場合には、出窓の両端の中点の座標を指定すればよい。出窓の幅が決まっていない場合には、出窓の両端の２点の座標を指定する。出窓の両端の２点の座標を指定すれば、部屋の大きさに適合する出窓を作図することができる。
【００２４】
文字指定は、家屋図形データに含まれる文字を指定することによって、その文字の部屋を構成する外壁を探し出窓の位置を自動で指定する場合に用いる。家屋図形データについては後に説明する。例えば、「居間の正面」を指定すると、居間という部屋文字が見つけ出され、居間の外壁が自動的に検出され、家屋の「正面」を示す文字から居間の正面の外壁に出窓の位置が特定される。また、出窓は庭の方向を向く場合もあるため、「居間の庭側」という指定を用意し、「庭」と言う文字を事前に記入し、居間の庭側の方向に出窓を自動的に配置するようにしてもよい。
【００２５】
出窓の向き指定３１２には、オペレータ、即ち図面作成者の入力による入力指定と自動判定がある。入力指定は出窓の突き出す方向をポインティング装置４やキーボード装置３で指定する場合に用いる。入力指定には、出窓の方向点の指定と出窓の向きの指定がある。出窓の方向点を指定する場合には、外壁の外側となる方向の１点を指定することによって、家屋の外向き方向を判断する。出窓の向きを指定する場合には、例えば、「図面の上向き」、「図面の下向き」、「図面の左向き」又は「図面の右向き」を指定する。
【００２６】
自動判定は図面の外周の外向きに突き出すように出窓の向きを自動的に決める場合に用いる。自動判定では、部屋の外壁を表わす閉図形を利用し、閉図形の内側と外側を自動的に検出する。内側と外側が検出されると、内側から外側へ向かうベクトルによって出窓の向きが特定される。閉図形の内側と外側を検出する方法として、例えば、出窓の両端座標間から左右に仮座標を２点作成し、閉図形の外側の点を検出する方法がある。
【００２７】
出窓は家屋の外壁より外側に突出するので、先ず、家屋の外壁のみを作図し、自動判定を使用して出窓を配置する。しかし、増築家屋の家屋評価の場合には、増改築部分のみを評価するために、増改築された部分のみを作図すればよい。この場合には、自動判定にて用いる閉図形がない。従って、自動判定が指定されていてもオペレータに出窓の方向の入力を求めるような処理を追加してもよい。
【００２８】
本例の配置指示方法によると、位置指定３１１や向き指定３１２の入力値を変更するだけで、出窓の位置及び向きを容易に変更することができる。従って、将来的な配置指定方法の変更にも対応が可能である。
【００２９】
出窓パターンファイル３５は、居間や食堂などの部屋ごとに分類され、各部屋に対して施工希望又は実績が多い出窓のファイルが用意されている。出窓は、住宅の居間に設けられる場合が多い。従って、居間用の出窓パターンファイル３５を作成してよい。例えば、比較的頻繁に採用される居間用の出窓情報をデフォルト値として設定しておいてよい。
【００３０】
図３は、図面ファイル３６に格納されている家屋図形データ３６Ａの概要を示す図である。図３Ａに示すように、家屋図形データ３６Ａは、レイヤの概念を持ち、外壁レイヤ４０１、間仕切レイヤ４０２、建具レイヤ４０３、文字レイヤ４０４等、評価部分毎にレイヤ番号が付されている。家屋図形データ３６Ａには、家屋平面図を構成する線分データ、折線データ、文字データなどがそれぞれのレコード形式で格納されている。
【００３１】
図３Ｂに示す線分レコードは、家屋平面図の各図形に対してシステムで一意に付与される要素番号４０５、線分を表す図形ＩＤ４０６、レイヤ番号４０７、線分の始点座標４０８及び終点座標４０９を含む。
【００３２】
図３Ｃに示す折線レコードは、要素番号４１０、折線を表す図形ＩＤ４１１、レイヤ番号４１２、構成点数４１３、構成点数分の座標データ４１４〜４１６を含む。
【００３３】
また、図３Ｄに示す文字レコードは、要素番号４１７、文字を表す図形ＩＤ４１８、レイヤ番号４１９、文字を配置する基準点座標４２０、文字数４２１、文字数分の文字コード４２２〜４２４を含む。
外壁及び間仕切は線分レコード及び、又は折線レコードで構成されている。建具は線分レコード、文字は文字レコードで構成されている。
【００３４】
図４は、図１に示す平面図作成処理プログラム１１の内容を示すブロック図である。平面図作成処理プログラム１１は、出窓情報入力処理１２１と出窓作成処理１２２と作成済み図面修正処理１２３と、を有し、更に、処理に付随して出窓情報入力画面１２４、出窓パターン選択画面１２５、出窓作成後画面１２６、修正処理完了画面１２７を表示する機能を備えている。出窓作成後画面１２６及び修正処理完了画面１２７では家屋図面及び出窓等は座標表示される。
【００３５】
先ず、出窓情報入力処理１２１の概要を説明する。出窓情報入力処理１２１では、家屋の出窓情報をオペレータとの間の対話によって取得する。出窓情報入力処理１２１が実行されると、ディスプレイ装置２には出窓情報入力画面１２４が表示され、オペレータが入力するための出窓情報の項目が表示される。オペレータによる出窓情報の入力が終了すると、出窓情報は出窓パターンファイル３５に格納され、記憶装置３０に蓄積される。こうして出窓パターンファイルが生成される。
【００３６】
次に、出窓作成処理１２２の概要を説明する。出窓作成処理１２２によって、家屋平面図に出窓の外壁及び建具を作図する。出窓作成処理１２２が実行されると、ディスプレイ装置２には出窓パターン選択画面１２５が表示され、複数の出窓パターンファイルのリストが表示される。オペレータ、即ち、図面作成者は、出窓パターンファイルのリストから所望の出窓パターンファイル３５を選択する。中央処理装置１０は、選択された出窓パターンファイル３５に格納されている出窓の形状情報３００及び配置指示情報３１０を読み出す。読み出された出窓の形状情報３００及び配置指示情報３１０に基づいて、家屋平面図に出窓の外壁及び建具を作図する。
【００３７】
出窓の外壁及び建具の作図は、家屋の平面図の作成と同時に実行されてよいが、予め作成された家屋平面図に出窓の外壁及び建具を作図してもよい。ここでは予め作成された家屋平面図に出窓の外壁及び建具を作成する場合を説明する。
【００３８】
中央処理装置１０は、図面ファイル３６の家屋図形データ３６Ａから家屋平面図を読み出し、配置指示情報３１０の位置指定３１１を読み取る。
出窓の位置の特定方法として、上述のように、座標指定と文字指定がある。座標指定の場合には、オペレータによる座標の入力を求める。例えば、位置指定３１１が出窓の両端の位置指定の場合には、オペレータに出窓の両端の位置の入力を求める。
【００３９】
文字指定の場合は、「居間の正面」が自動的に見つけられるように、予め部屋文字指定「居間」と位置文字指定「正面」を行う。家屋図形データ３６Ａから、「居間」の文字レコード（図３Ａ）を検出し、基準点座標４２０から一番近い線分レコード（図３Ｂ）を抽出して居間を取り囲む図形を抽出する。同様に、家屋図形データ３６Ａから、「正面」の文字レコード（図３Ａ）を検出し、外壁レイヤ４０１の線分レコード（図３Ｂ）の中で一番近い外壁を抽出し、正面とする。
居間を取り囲む図形の中で正面又は正面と平行な居間の外壁の１つを選定し、そこに出窓を配置する。
【００４０】
位置文字指定として「正面」の代わりに、入口を示す文字などを任意に指定し文字から図形に対する方向で正面を変更するようにすることも可能である。また正面は、予め決めた家屋の描く方向の規則（下が正面等）によって特定してもよい。
【００４１】
出窓の位置が特定されると、出窓の向きが特定される。中央処理装置１０は、配置指示情報３１０の向き指定３１２を読み取る。こうして出窓の位置と向きが特定されると、出窓の外壁データと建具データが計算され、図面ファイル３６の家屋図形データ３６Ａに格納される。
【００４２】
作成済み図面修正処理１２３の概要を説明する。部屋の外壁を描いた後に出窓を作図すると、出窓の両端の間に不要な外壁や建具などの線分が残る。このような場合に作成済み図面修正処理１２３を起動し、不要な線分等を削除する。
【００４３】
作成済み図面修正処理１２３が実行されると、ディスプレイ装置２には図示しない作成済み図面の選択画面が表示される。オペレータが作成済み図面のリストより所望の作成済み図面を選択すると、中央処理装置１０は、図面ファイル３６の家屋図形データ３６Ａから、選択された家屋平面図を読み出す。ディスプレイ装置２には出窓作成後画面１２６が表示され、図示のように、作成された出窓の外壁及び建具を含む家屋図形データが座標と共に表示される。図面ファイル３６から家屋図形データ３６Ａを抽出し、出窓の両端座標間に作成されている不要な外壁及び建具を削除する。修正処理完了画面１２７には、出窓の両端の間の不要な外壁及び建具が削除された家屋図形データが座標と共に表示される。
【００４４】
本例では、平面図作成処理プログラム１１が実行されるとディスプレイ装置２には、出窓情報入力処理１２１と出窓作成処理１２２と作成済み図面修正処理１２３の３つの処理のリストが表示される。オペレータが、所望の処理を選択すると、選択された処理が実行される。
【００４５】
しかしながら、平面図作成処理プログラム１１が起動されると、先ず、出窓作成処理１２２が実行され、ディスプレイ装置の画面に出窓パターン選択画面１２５が表示されてよい。オペレータは、出窓パターン選択画面１２５に表示された出窓パターンファイルのリストより適当な出窓パターンファイルを選択するが、適当なものがない場合には、出窓情報入力処理１２１に戻って所望の出窓パターンファイル３５を生成してよい。この場合、出窓パターン選択画面１２５から出窓情報入力画面１２４を起動し、出窓パターンファイルを生成することができる。生成した出窓パターンファイルを使用して出窓作成処理１２２が実行される。
【００４６】
更に、平面図作成処理プログラム１１が起動されると、先ず出窓情報入力処理１２１が実行され、ディスプレイ装置の画面に出窓情報入力画面１２４が表示されてよい。オペレータによって出窓情報が入力されると、出窓パターンファイル３５が生成されてよいが、出窓パターンファイル３５を生成することなく、出窓作成処理１２２が実行されてよい。又、作成済み図面修正処理１２３は、出窓作成処理１２２の直後に連続して実行されてよい。この場合、出窓作成後画面１２６の表示を省略し、修正処理完了画面１２７が表示されてよい。
【００４７】
図５は、出窓情報入力処理１２１を表すフローチャートである。本処理によって、出窓パターンファイル３５を構築する。まず、ステップＳ５０１にて、ディスプレイ装置２に出窓情報入力画面１２４を表示する。ステップＳ５０２にて、オペレータによる出窓情報の入力を受け付ける。出窓情報は、上述のように、出窓の形状情報３００及び配置指示情報３１０を含む。入力値にはデフォルト値を設け、入力操作を簡単化してよい。
【００４８】
ステップＳ５０３にて、オペレータによる入力が完了したか否かを判定する。
入力が完了した場合には、ステップＳ５０４に進み、入力した出窓情報を出窓パターンファイルに格納するか否かを判定する。オペレータが、出窓情報を出窓パターンファイルに格納しない旨を入力した場合には、ステップＳ５０５にて、出窓情報を入力バッファにて処理し、出窓作成処理Ｓ５０５に進む。
【００４９】
ステップＳ５０４にて、オペレータが、出窓情報を出窓パターンファイルに格納する旨を入力した場合には、ステップＳ５０６にて出窓パターンファイルを開く。ステップＳ５０７にて、開いた出窓パターンファイルに出窓情報を格納する。ステップＳ５０８にて、出窓パターンファイルを閉じる。
【００５０】
図６は、出窓作成処理１２２を表すフローチャートである。本処理によって、家屋の平面図上に出窓の外壁及び建具を作成する。先ず、ステップＳ６０１にて、記憶装置３０に登録されている図面ファイル３６の一つを読み出し、ステップＳ６０２にて記憶装置３０に登録されている全ての出窓パターンファイル３５を読み出す。ステップＳ６０３にて、読み出した全ての出窓パターンファイル３５のリストを出窓パターン選択画面１２５に表示する。
【００５１】
ステップＳ６０４にて、オペレータによる出窓パターンファイル３５の選択指示を受け付ける。ステップＳ６０５にて、オペレータによる選択指示がなされたか否かを判定する。オペレータが所定の出窓パターンファイル３５を選択した場合には、ステップＳ６０６に進む。
【００５２】
ステップＳ６０６にて、選択された出窓パターンファイル３５を開く。ステップＳ６０７にて、出窓パターンファイル３５に格納された配置指示情報３１０に基づき、位置指定３１１と向き指定３１２の入力が必要か否かを判定する。入力が不要な場合にはステップＳ６１０に進み、入力が必要な場合にはステップＳ６０８に進む。
【００５３】
ステップＳ６０８にて、オペレータによる位置指定３１１と向き指定３１２の入力を受け付ける。例えば、位置指定３１１として出窓の両端座標の入力を受け付け、向き指定３１２として方向点の入力を受け付ける。
【００５４】
ステップＳ６０９にて、位置指定３１１と向き指定３１２が入力されたか否かを判定する。オペレータが、位置指定３１１と向き指定３１２を入力したら、ステップＳ６１０に進む。
【００５５】
ステップＳ６１０にて出窓の両端座標を計算する。次に、ステップＳ６１１にて、出窓パターンファイル３５の形状情報３００を参照し、それに基づいて出窓の外壁頂点座標を計算する。ステップＳ６１２にて、外壁データを作成し出力バッファにセットする。ステップＳ６１３にて、外壁頂点座標から、出窓外壁の建具座標を計算する。ステップＳ６１４にて、建具データを作成し、出力バッファにセットする。ステップＳ６１５にて、出力バッファの外壁データ及び建具データを図面ファイルに格納し、ステップＳ６１６にて、出窓パターンファイル３５を閉じ、ステップＳ６１７にて、図面ファイル３６を閉じる。
【００５６】
尚、出窓パターン選択画面にて、全ての出窓パターンを一度に表示してもよいが、最初に出窓タイプの選択を促し、タイプ選択後該当する出窓パターンのリストを表示してもよい。
【００５７】
図７は、作成済み図面修正処理１２３を表すフローチャートである。本処理によって、家屋平面図の外壁に出窓を重ねて作図した場合に、不要な線分を削除する。先ずステップＳ７０１にて、図面ファイル３６を開き、ステップＳ７０２にて、図面ファイルの家屋図形データ３６Ａより、出窓の両端座標、即ち、２つの端点１、２を取得する。
【００５８】
ステップＳ７０３にて、２つの端点の間に存在する家屋図形データの検索を行う。ステップＳ７０４にて、検索された家屋図形データのレイヤ番号が外壁又は建具のレイヤ番号であるか否かを判定する。外壁又は建具のレイヤ番号である場合には、ステップＳ７０５に進み、更に家屋図形データが線分又は折線であるか否かを判定する。家屋図形データが線分又は折線である場合には、ステップＳ７０６に進む。
【００５９】
ステップＳ７０６にて、線分又は折線をまず一方の端点１で分割する。更に、ステップＳ７０７にて、線分又は折線を他方の端点２で分割する。ステップＳ７０８にて、端点１と２の間の図形、即ち、線分又は折線を削除する。ステップＳ７０９にて、図面ファイルを更新し、ステップＳ７１０に進む。
【００６０】
ステップＳ７０４にて、家屋図形データのレイヤ番号が外壁又は建具のレイヤ番号でない場合、及び、ステップＳ７０５にて、家屋図形データが線分又は折線でない場合には、ステップＳ７１０に進む。
【００６１】
ステップＳ７１０にて、抽出図形がまだ存在するか否かを判定する。抽出図形が未だ存在する場合は、ステップＳ７０３に戻る。ステップＳ７１０にて、抽出図形が終わりであると判定されると、ステップＳ７１１に進み、図面ファイルを閉じる。
【００６２】
以上のように本例の出窓情報入力処理１２１、出窓作成処理１２２、及び作成済み図面修正処理１２３によると、入力する出窓情報が決定され、出窓の外壁と建具の全てが同時に作図でき、又出窓の作図前に描かれた不要な外壁も同時に削除することが可能となる。
【００６３】
【発明の効果】
本発明によると、出窓情報の入力操作を簡素化し又は省略することができるから、短時間で且つ簡単な操作にて家屋平面図に出窓を作図することができる効果がある。
本発明によると、補助線及び補助図形を作成することなく、家屋平面図に出窓を作図することができる効果点がある。
本発明によると、家屋平面図の作成と同時に出窓の外壁及び建具の作図を行うことができる効果がある。
【図面の簡単な説明】
【図１】本発明の家屋図面作成装置を組み込んだ家屋評価計算処理装置の概略構成を示すブロック図である。
【図２】出窓パターンファイルの概要構造を示す図である。
【図３】家屋図形データの概要を示す図である。
【図４】平面図作成処理プログラムの内部構造を示すブロック図である。
【図５】出窓情報入力処理の処理手順の概要を示すフローチャートである。
【図６】出窓作成処理の処理手順の概要を示すフローチャートである。
【図７】作成済み図面修正処理の処理手順の概要を示すフローチャートである。
【図８】従来方式による平面図への６面出窓の外壁及び建具の作図方法の概要を示す図である。
【図９】従来方式による平面図への台形出窓の外壁の作図方法の概要を示す図である。
【符号の説明】
２・・・ディスプレイ装置、３・・・キーボード装置、４・・・ポインティング装置、１０・・・中央処理装置、１１・・・平面図作成処理プログラム、１２・・・評点付加処理プログラム、１３・・・図面解析処理プログラム、１４・・・評点数計算処理プログラム、３０・・・記憶装置、３５・・・出窓パターンファイル、３６・・・図面ファイル、３７・・・標準評点マスタファイル、３８・・・評点数計算ファイル
【図１】
2004213195.tif 000003
【図２】
2004213195.tif 000004
【図３】
2004213195.tif 000005
【図４】
2004213195.tif 000006
【図５】
2004213195.tif 000007
【図６】
2004213195.tif 000008
【図７】
2004213195.tif 000009
【図８】
2004213195.tif 000010
【図９】
2004213195.tif 000011